(57)【要約】【課題】視野角を広くするとともにコストを低減することができる表示装置を得る。【解決手段】液晶層９と、第１の偏光フィルム１１５および第１の位相差フィルム１１４を含んで構成された第１の基板１１０と、第２の偏光フィルム１２６を含んで構成され、第１の基板の、第１の偏光フィルムおよび第１の位相差フィルムのうちの第１の位相差フィルムが配置された側に、液晶層を挟んで配置された第２の基板１２０とを備える。上記第１の位相差フィルムの面内方向の面内リタデーション値Ｒ０は、次の式（Ａ）を満たす。上記第１の位相差フィルムの面内方向の面内リタデーション値Ｒ０と、第１の位相差フィルムの厚さ方向の厚さリタデーション値Ｒthとは、次の式（Ａ）を満たすものである。Ｒ０  ≦  （５／８）×Ｒth−２５  ・・・  （Ａ）【選択図】図４
2013045064.tif 000002
【特許請求の範囲】
【請求項１】
液晶層と、
第１の偏光フィルムおよび第１の位相差フィルムを含んで構成された第１の基板と、
第２の偏光フィルムを含んで構成され、前記第１の基板の、前記第１の偏光フィルムおよび前記第１の位相差フィルムのうちの前記第１の位相差フィルムが配置された側に、前記液晶層を挟んで配置された第２の基板と
を備え、
前記第１の位相差フィルムの面内方向の面内リタデーション値Ｒ０と、前記第１の位相差フィルムの厚さ方向の厚さリタデーション値Ｒthとが、次の式（Ａ）を満たす
表示装置。
Ｒ０  ≦  （５／８）×Ｒth−２５  ・・・  （Ａ）
【請求項２】
前記第１の位相差フィルムは、トリアセチルセルロースまたはシクロオレフィンポリマーにより構成される
請求項１に記載の表示装置。
【請求項３】
前記第１の位相差フィルムは、逆波長分散特性を有する
請求項１に記載の表示装置。
【請求項４】
前記第２の基板は、前記第２の偏光フィルムの前記液晶層の側に配置された第２の位相差フィルムを含んで構成されている
請求項１に記載の表示装置。
【請求項５】
前記第２の位相差フィルムの面内リタデーション値および厚さリタデーション値は、それぞれ、前記第１の位相差フィルムの面内リタデーション値Ｒ０および厚さリタデーション値Ｒthとほぼ等しい
請求項４に記載の表示装置。
【請求項６】
前記第１の位相差フィルムは、前記第１の基板の前記液晶層とは反対側に配置され、
前記第２の位相差フィルムは、前記第２の基板の前記液晶層とは反対側に配置されている
請求項４に記載の表示装置。
【請求項７】
前記液晶層は、ノーマリーホワイト動作を行うＴＮ液晶により構成される
請求項１に記載の表示装置。
【請求項８】
表示部と
開状態と閉状態とを切り換え可能な液晶バリアを有するバリア部と
を備え、
前記バリア部は、
液晶層と、
偏光フィルムおよび位相差フィルムを含んで構成された第１の基板と、
前記第１の基板の、前記偏光フィルムおよび前記位相差フィルムのうちの前記位相差フィルムが配置された側に、前記液晶層を挟んで配置された第２の基板と
を有し、
前記位相差フィルムの面内方向の面内リタデーション値Ｒ０と、前記位相差フィルムの厚さ方向の厚さリタデーション値Ｒthとが、次の式（Ａ）を満たす
表示装置。
Ｒ０  ≦  （５／８）×Ｒth−２５  ・・・  （Ａ）
【請求項９】
前記バリア部は、複数の第１系列の液晶バリアおよび複数の第２系列の液晶バリアを有する
請求項８に記載の表示装置。
【請求項１０】
２次元映像表示モードおよび３次元映像表示モードを含む複数の表示モードを有し、
前記２次元映像表示モードでは、前記表示部が１つの視点画像を表示し、前記複数の第１系列の液晶バリアおよび前記複数の第２系列の液晶バリアが透過状態になることにより、２次元映像を表示し、
前記３次元映像表示モードでは、前記表示部が前記複数の視点画像を表示し、前記複数の第１系列の液晶バリアが透過状態になるとともに、前記複数の第２系列の液晶バリアが遮断状態になることにより、３次元映像を表示する
請求項９に記載の表示装置。
【請求項１１】
前記複数の第１系列の液晶バリアは、複数のバリアグループにグループ分けされ、
前記３次元映像表示モードでは、前記複数の第１系列の液晶バリアは、バリアグループごとに、時分割的に開状態および閉状態との間で切り換わる
請求項１０に記載の表示装置。
【請求項１２】
バックライトをさらに備え、
前記表示部は液晶表示部であり、
前記液晶表示部は、前記バックライトと前記バリア部との間に配置されている
請求項８に記載の表示装置。
【請求項１３】
バックライトをさらに備え、
前記表示部は液晶表示部であり、
前記バリア部は、前記バックライトと前記液晶表示部との間に配置されている
請求項８に記載の表示装置。
【請求項１４】
開状態と閉状態とを切り換え可能な液晶バリアを有するバリア部を備え、
前記バリア部は、
液晶層と、
偏光フィルムおよび位相差フィルムを含んで構成された第１の基板と、
前記第１の基板の、前記偏光フィルムおよび前記位相差フィルムのうちの前記位相差フィルムが配置された側に、前記液晶層を挟んで配置された第２の基板と
を有し、
前記位相差フィルムの面内方向の面内リタデーション値Ｒ０と、前記位相差フィルムの厚さ方向の厚さリタデーション値Ｒthとが、次の式（Ａ）を満たす
バリア装置。
Ｒ０  ≦  （５／８）×Ｒth−２５  ・・・  （Ａ）
【請求項１５】
面内方向の面内リタデーション値Ｒ０と、厚さ方向の厚さリタデーション値Ｒthとが、次の式（Ａ）を満たす
位相差フィルム。
Ｒ０  ≦  （５／８）×Ｒth−２５  ・・・  （Ａ）
【請求項１６】
前記位相差フィルムは、液晶層とともに用いられる
請求項１５に記載の位相差フィルム。
【請求項１７】
表示装置と、
前記表示装置を利用した動作制御を行う制御部と
を備え、
前記表示装置は、
液晶層と、
第１の偏光フィルムおよび第１の位相差フィルムを含んで構成された第１の基板と、
第２の偏光フィルムを含んで構成され、前記第１の基板の、前記第１の偏光フィルムおよび前記第１の位相差フィルムのうちの前記第１の位相差フィルムが配置された側に、前記液晶層を挟んで配置された第２の基板と
を有し、
前記第１の位相差フィルムの面内方向の面内リタデーション値Ｒ０と、前記第１の位相差フィルムの厚さ方向の厚さリタデーション値Ｒthとが、次の式（Ａ）を満たす
電子機器。
Ｒ０  ≦  （５／８）×Ｒth−２５  ・・・  （Ａ）
【発明の詳細な説明】
【技術分野】
【０００１】
本開示は、液晶素子により構成される表示装置およびバリア装置、そのような装置に用いられる位相差フィルム、ならびにこれらを含んで構成される電子機器に関する。
【背景技術】
【０００２】
近年、表示装置においては、ＣＲＴ（Cathode Ray Tube）表示装置から液晶表示装置への置き換えが進んでいる。液晶表示装置は、ＣＲＴ表示装置に比べて薄くできるため省スペースを実現しやすく、また、消費電力が低いためエコロジーの観点からもメリットがある。
【０００３】
また、近年、立体視表示を実現できる表示装置が注目を集めている。立体視表示は、互いに視差のある（視点の異なる）左眼映像と右眼映像を表示するものであり、観察者が左右の目でそれぞれを見ることにより奥行きのある立体的な映像として認識することができる。また、互いに視差がある３つ以上の映像を表示することにより、観察者に対してより自然な立体映像を提供することが可能な表示装置も開発されている。例えば、特許文献１には、互いに視差がある複数の映像（視点映像）を同時に表示し、表示装置と観察者の視点との相対的な位置関係（角度）によって見える映像が異なる、視差バリア（パララックスバリア）方式の表示装置が開示されている。このような表示装置では、しばしばバリアとして液晶素子が用いられる。
【０００４】
ところで、一般に表示装置では、視野角が広いことが望まれている。特許文献２，３には視野角を広くするために、光学異方性を有するディスコティック液晶からなる層を有する液晶表示装置が開示されている。このようなディスコティック液晶からなる層は、高視野角化フィルム（例えば、いわゆるＷＶ（Wide View）フィルム）として流通している。
【先行技術文献】
【特許文献】
【０００５】
【特許文献１】特開平３−１１９８８９号公報
【特許文献２】特開２００５−１８９８８８号公報
【特許文献３】特開２００１−１０００３１号公報
【発明の概要】
【発明が解決しようとする課題】
【０００６】
ところで、一般に、電子機器は、コストの低減が望まれている。しかしながら、液晶素子を有する表示装置では、上述した高視野角化フィルムが専用の部材であることから、導入にコストがかかるおそれがある。
【０００７】
本開示はかかる問題点に鑑みてなされたもので、その目的は、視野角を広くするとともにコストを低減することができる表示装置、バリア装置、位相差フィルム、および電子機器を提供することにある。
【課題を解決するための手段】
【０００８】
本開示の第１の表示装置は、液晶層と、第１の基板と、第２の基板とを備えている。第１の基板は、第１の偏光フィルムおよび第１の位相差フィルムを含んで構成されたものである。第２の基板は、第２の偏光フィルムを含んで構成され、第１の基板の、第１の偏光フィルムおよび第１の位相差フィルムのうちの第１の位相差フィルムが配置された側に、液晶層を挟んで配置されたものである。上記第１の位相差フィルムの面内方向の面内リタデーション値Ｒ０と、第１の位相差フィルムの厚さ方向の厚さリタデーション値Ｒthとは、次の式（Ａ）を満たすものである。
Ｒ０  ≦  （５／８）×Ｒth−２５  ・・・  （Ａ）
【０００９】
本開示の第２の表示装置は、表示部と、バリア部とを備えている。バリア部は、開状態と閉状態とを切り換え可能な液晶バリアを有するものである。上記バリア部は、液晶層と、偏光フィルムおよび位相差フィルムを含んで構成された第１の基板と、第１の基板の、偏光フィルムおよび位相差フィルムのうちの位相差フィルムが配置された側に、液晶層を挟んで配置された第２の基板とを有している。位相差フィルムの面内方向の面内リタデーション値Ｒ０と、位相差フィルムの厚さ方向の厚さリタデーション値Ｒthとは、次の式（Ａ）を満たすものである。
Ｒ０  ≦  （５／８）×Ｒth−２５  ・・・  （Ａ）
【００１０】
本開示のバリア装置は、開状態と閉状態とを切り換え可能な液晶バリアを有するバリア部を備えている。上記バリア部は、液晶層と、偏光フィルムおよび位相差フィルムを含んで構成された第１の基板と、第１の基板の、偏光フィルムおよび位相差フィルムのうちの位相差フィルムが配置された側に、液晶層を挟んで配置された第２の基板とを有している。位相差フィルムの面内方向の面内リタデーション値Ｒ０と、位相差フィルムの厚さ方向の厚さリタデーション値Ｒthとは、次の式（Ａ）を満たすものである。
Ｒ０  ≦  （５／８）×Ｒth−２５  ・・・  （Ａ）
【００１１】
本開示の位相差フィルムは、面内方向の面内リタデーション値Ｒ０と、厚さ方向の厚さリタデーション値Ｒthとが、次の式（Ａ）を満たすものである。
Ｒ０  ≦  （５／８）×Ｒth−２５  ・・・  （Ａ）
【００１２】
本開示の電子機器は、上記第１の表示装置を備えたものであり、例えば、テレビジョン装置、デジタルカメラ、パーソナルコンピュータ、ビデオカメラあるいは携帯電話等の携帯端末装置などが該当する。
【００１３】
本開示の第１の表示装置、位相差フィルム、および電子機器では、液晶層において光が変調され、表示画面に映像が表示される。その表示の際に光が透過する第１の位相差フィルムは、面内リタデーション値Ｒ０と厚さリタデーション値Ｒｔｈとが、式（Ａ）を満たすようになっている。
【００１４】
本開示の第２の表示装置、バリア装置、および位相差フィルムでは、表示部に映像が表示され、液晶バリアを透過状態にすることにより、表示部に表示された映像が観察者に視認される。その際に光が透過するバリア部の位相差フィルムは、面内リタデーション値Ｒ０と厚さリタデーション値Ｒｔｈとが、式（Ａ）を満たすようになっている。
【発明の効果】
【００１５】
本開示の第１および第２の表示装置、バリア装置、位相差フィルム、および電子機器によれば、面内リタデーション値Ｒ０と厚さリタデーション値Ｒｔｈとが、式（Ａ）を満たす位相差フィルムを用いるようにしたので、視野角を広くするとともにコストを低減することができる。
【図面の簡単な説明】
【００１６】
【図１】本開示の第１の実施の形態に係る表示装置の一構成例を表すブロック図である。
【図２】図１に示した表示駆動部の一構成例を表すブロック図である。
【図３】図２に示した画素の一構成例を表す回路図である。
【図４】図１に示した液晶表示部の一構成例を表す断面図である。
【図５】図４に示した偏光フィルムの一構成例を表す断面図である。
【図６】図４に示した液晶層の一動作例を表す模式図である。
【図７】図４に示した位相差フィルムの機能を説明する説明図である。
【図８】図１に示した表示装置の一特性例を表す特性図である。
【図９】図１に示した表示装置の他の特性例を表す特性図である。
【図１０】第２の実施の形態に係る立体表示装置の一構成例を表すブロック図である。
【図１１】図１０に示した立体表示装置の一構成例を表す説明図である。
【図１２】図１０に示した液晶バリア部の一構成例を表す平面図および断面図である。
【図１３】図１０に示した液晶バリア部のグループ構成例を表す説明図である。
【図１４】図１０に示した立体表示装置の一動作例を表す模式図である。
【図１５】図１０に示した立体表示装置の一動作例を表す他の模式図である。
【図１６】変形例に係る立体表示装置の一構成例を表す説明図である。
【図１７】変形例に係る立体表示装置の一動作例を表す模式図である。
【図１８】他の変形例に係る立体表示装置の一動作例を表す模式図である。
【図１９】実施の形態に係る表示装置および立体表示装置を適用したテレビジョン装置の外観構成を表す斜視図である。
【発明を実施するための形態】
【００１７】
以下、本開示の実施の形態について、図面を参照して詳細に説明する。なお、説明は以下の順序で行う。
１．第１の実施の形態（表示装置）
２．第２の実施の形態（立体表示装置）
３．適用例
【００１８】
＜１．第１の実施の形態＞
［構成例］
（全体構成例）
図１は、第１の実施の形態に係る表示装置の一構成例を表すものである。表示装置１は、表示素子として液晶素子を用いた液晶表示装置である。なお、本開示の実施の形態に係る位相差フィルムは、本実施の形態により具現化されるので、併せて説明する。
【００１９】
表示装置１は、制御部４１と、バックライト駆動部４２と、バックライト３０と、表示駆動部５０と、液晶表示部２０とを備えている。
【００２０】
制御部４１は、外部より供給される映像信号Ｓdispに基づいて、バックライト駆動部４２および表示駆動部５０に対してそれぞれ制御信号を供給する回路である。具体的には、制御部４１は、バックライト駆動部４２に対してバックライト制御信号を供給し、表示駆動部５０に対して映像信号Ｓdispに基づく映像信号Ｓを供給するようになっている。
【００２１】
バックライト駆動部４２は、制御部４１から供給されるバックライト制御信号に基づいてバックライト３０を駆動するものである。バックライト３０は、液晶表示部２０に対して面発光した光を射出する機能を有している。バックライト３０は、例えば、ＬＥＤ（Light Emitting Diode）や、ＣＣＦＬ（Cold Cathode Fluorescent Lamp）などを用いて構成されるものである。
【００２２】
表示駆動部５０は、制御部４１から供給される映像信号Ｓに基づいて液晶表示部２０を駆動するものである。液晶表示部２０は、液晶素子を駆動して、バックライト３０から射出した光を変調することにより表示を行うようになっている。
【００２３】
図２は、表示駆動部５０のブロック図の一例を表すものである。表示駆動部５０は、タイミング制御部５１と、ゲートドライバ５２と、データドライバ５３とを備えている。タイミング制御部５１は、ゲートドライバ５２およびデータドライバ５３の駆動タイミングを制御するとともに、制御部４１から供給された映像信号Ｓに基づいて映像信号Ｓ１を生成し、データドライバ５３へ供給するものである。ゲートドライバ５２は、タイミング制御部５１によるタイミング制御に従って、液晶表示部２０内の画素Ｐixを行ごとに順次選択して、線順次走査するものである。データドライバ５３は、液晶表示部２０の各画素Ｐixへ、映像信号Ｓ１に基づく画素信号を供給するものである。具体的には、データドライバ５３は、映像信号Ｓ１に基づいてＤ／Ａ（デジタル／アナログ）変換を行うことにより、アナログ信号である画素信号を生成し、各画素Ｐixへ供給するようになっている。
【００２４】
図３は、液晶表示部２０の画素Ｐixを構成するサブ画素ＳＰixの回路図の一例を表すものである。各画素Ｐixは、赤色、緑色、青色にそれぞれ対応する３つのサブ画素ＳＰixを有している。サブ画素ＳＰixは、ＴＦＴ（Thin Film Transistor）素子Ｔｒと、液晶素子ＬＣと、保持容量素子Ｃｓとを備えている。ＴＦＴ素子Ｔｒは、例えばＭＯＳ−ＦＥＴ（Metal Oxide Semiconductor-Field Effect Transistor）により構成されるものであり、ゲートがゲート線ＧＣＬに接続され、ソースがデータ線ＳＧＬに接続され、ドレインが液晶素子ＬＣの一端と保持容量素子Ｃｓの一端に接続されている。液晶素子ＬＣは、一端がＴＦＴ素子Ｔｒのドレインに接続され、他端は接地されている。保持容量素子Ｃｓは、一端がＴＦＴ素子Ｔｒのドレインに接続され、他端は保持容量線ＣＳＬに接続されている。ゲート線ＧＣＬはゲートドライバ５２に接続され、データ線ＳＧＬはデータドライバ５３に接続されている。
【００２５】
図４は、液晶表示部２０の断面構成を表すものである。液晶表示部２０は、駆動基板１１０と対向基板１２０との間に、液晶層９を封止したものである。
【００２６】
駆動基板１１０は、透明基板１１１と、画素電極１１２と、配向膜１１３と、位相差フィルム１１４と、偏光フィルム１１５とを有している。透明基板１１１は、例えばガラス等から構成されるものであり、その表面には、図示しないＴＦＴ素子Ｔｒ等が形成されている。そして、その上には、画素電極１１２が形成されている。画素電極１１２は、例えばＩＴＯ（Indium Tin Oxide）等の透明導電膜により構成されるものであり、データドライバ５３から、データ線ＳＧＬおよびＴＦＴ素子Ｔｒを介して画素信号が供給される。画素電極１１２の上には、配向膜１１３が形成されている。透明基板１１１の、これらの画素電極１１２などが形成された面とは反対の面には、位相差フィルム１１４および偏光フィルム１１５が、この順で形成されている。
【００２７】
対向基板１２０は、透明基板１２１と、カラーフィルタ層１２２と、共通電極１２３と、配向膜１２４と、位相差フィルム１２５と、偏光フィルム１２６とを有している。透明基板１２１は、透明基板１１１と同様に、例えばガラス等から構成されるものである。透明基板１２１の表面には、カラーフィルタ層１２２が形成されている。カラーフィルタ層１２２には、各画素電極１１２に対応する部分に、赤色、緑色、青色の３色のカラーフィルタが形成されている。そして、そのカラーフィルタ層１２２の上には、共通電極１２３が形成されている。共通電極１２３は、画素電極１１２と同様に、例えばＩＴＯ等の透明導電膜により構成されるものであり、複数の画素電極１１２に対応する位置にわたって共通に設けられている。その共通電極１２３の上には、配向膜１２４が形成されている。透明基板１２１の、共通電極１２３などが形成された面とは反対の面には、位相差フィルム１２５および偏光フィルム１２６が、この順で形成されている。
【００２８】
位相差フィルム１１４，１２５は、ＴＡＣ（トリアセチルセルロース）により構成されている。なお、これに限定されるものではなく、これに代えて、例えば、ＣＯＰ（シクロオレフィンポリマー）により構成してもよい。この位相差フィルム１１４，１２５は、後述するように、面内のリタデーション値Ｒ０が、厚さ方向のリタデーション値Ｒｔｈに比べ小さくなるように設定されている。これにより、表示装置１は、例えば黒表示時に広い視野角を得ることができるようになっている。また、この位相差フィルム１１４，１２５は、光の波長の減少に伴い屈折率異方性が減少する、いわゆる逆波長分散性を有しているとさらに良い。この場合には、表示装置１では、表示画面に向かって斜め方向から観察した場合に、色度のずれが生じるおそれを低減することができる。
【００２９】
偏光フィルム１１５，１２６は、所定の方向に偏光した光のみ透過させるものであり、透過軸が互いに交差するように、すなわちクロスニコルになるように貼り合わせられている。
【００３０】
図５は、偏光フィルム１２６の断面図を位相差フィルム１２５とともに表すものである。偏光フィルム１２６は、偏光機能を実現する偏光子１０２と、その偏光子１０２を挟んで配置された、偏光子１０２を保護するための保護層１０１，１０３を有している。保護層１０１，１０３は、例えばＴＡＣにより構成されるものである。この例では、保護層１０１，１０３は、位相差フィルムとしての機能は無いものである。すなわち、保護層１０１，１０３におけるリタデーション値Ｒ０，Ｒｔｈは、位相差フィルム１１４，１２５のリタデーション値Ｒ０，Ｒｔｈと比較して十分に低いものである。
【００３１】
液晶層９は、配向方向により光の透過率Ｔを変化させることができるものであり、例えば、ノーマリーホワイト動作を行うＴＮ（Twisted Nematic）の液晶により構成されるものである。液晶層９の液晶分子Ｍは、誘電率異方性が正であり、長軸方向の屈折率が、短軸方向の屈折率よりも大きいものである。
【００３２】
各画素電極１１２は、液晶層９、カラーフィルタ層１２２などの画素電極１１２に対応する部分とともに、サブ画素ＳＰixを構成する。そして、赤色、緑色、青色の各サブ画素ＳＰixは、画素Ｐixを構成するようになっている。
【００３３】
このような構成により、液晶表示部２０では、画素電極１１２と共通電極１２３との間の電位差に応じて、液晶層９における光の透過率が変調され、表示が行われるようになっている。
【００３４】
図６は、液晶層９の動作を模式的に表すものであり、（Ａ）は画素電極１１２と共通電極１２３との間に電圧が印加されていない場合を示し、（Ｂ）はこの電圧が印加されている場合を示す。
【００３５】
電圧が印加されていない場合には、図６（Ａ）に示すように、液晶層９の液晶分子Ｍは、その長軸が駆動基板１１０や対向基板１２０の基板面に平行になっている。配向膜１１３の近くの液晶分子Ｍは、その長軸が配向膜１１３によって所定の方向に配向し、配向膜１２４の近くの液晶分子Ｍは、その長軸が配向膜１２４によって所定の方向に配向する。その際、配向膜１１３が配向させる液晶分子Ｍの配向方向と、配向膜１２４が配向させる液晶分子Ｍの向きとが、互いに交差するようになっており、液晶層９の内部の液晶分子Ｍは、ねじれるように配向する。このとき、液晶表示部２０の一方（例えば下側）から入射した光は、偏光板１１５によって偏光され、液晶層９における液晶分子Ｍの配向に従ってその偏光方向がねじれ、偏光板１２６を透過し、他方（例えば上側）から射出する。このようにして、液晶表示部２０では、電圧が印加されていない場合には、光を透過し、いわゆる白表示となる。
【００３６】
一方、電圧が印加されている場合には、図６（Ｂ）に示すように、液晶層９の液晶分子Ｍは、その長軸が駆動基板１１０や対向基板１２０の基板面に垂直になっている。このとき、液晶表示部２０の一方（例えば下側）から入射した光は、偏光板１１５によって偏光され、偏光方向を維持しながら液晶層９を透過した後、偏光板１２６において遮断される。このようにして、液晶表示部２０では、電圧が印加されている場合には、光を遮断し、いわゆる黒表示となる。
【００３７】
このように、液晶表示部２０は、画素電極１１２と共通電極１２３との間に電圧が印加されていない場合には白表示になり、電圧が印加されている場合には黒表示となる。すなわち、液晶表示部２０は、ノーマリーホワイト動作を行うようになっている。
【００３８】
ここで、液晶層９は、本開示の第１の表示装置における「液晶層」の一具体例に対応する。駆動基板１１０および対向基板１２０のうちの一方は、本開示における「第１の基板」の一具体例に対応し、他方は、本開示における「第２の基板」の一具体例に対応する。
【００３９】
［動作および作用］
続いて、本実施の形態の表示装置１の動作および作用について説明する。
【００４０】
（全体動作概要）
まず、図１を参照して、表示装置１の全体動作概要を説明する。制御部４１は、外部より供給される映像信号Ｓdispに基づいて、バックライト駆動部４２および表示駆動部５０を制御する。バックライト駆動部４２は、バックライト３０を駆動する。バックライト３０は、面発光した光を液晶表示部２０に対して射出する。表示駆動部５０は、制御部４１から供給される映像信号Ｓに基づいて液晶表示部２０を駆動する。液晶表示部２０は、バックライト３０から射出した光を変調することにより表示を行う。
【００４１】
（視野角について）
表示装置１では、液晶表示部２０に位相差フィルム１１４，１２５が設けられ、これにより、表示装置１の黒表示の際の視野角拡大を図るようになっている。以下に、その詳細を説明する。
【００４２】
図７は、位相差フィルム１１４，１２５による黒表示の際の視野角の拡大を、模式的に説明するものである。この図において、ｘ方向およびｙ方向は、駆動基板１１０および対向基板１２０と平行な方向を示し、ｚ方向は、これらの基板に垂直な方向を示す。また、各形状は、ｘ，ｙ，ｚ方向の各方向における屈折率の大きさを表すものであり、例えば、ｚ方向に延びた形状は、ｚ方向の屈折率が大きいことを意味している。
【００４３】
液晶層９の液晶分子Ｍは、図６（Ｂ）に示したように、黒表示の際には、長軸が基板に垂直な方向（ｚ方向）を向いており、図７に示したように、ｚ方向の屈折率ｎｚが、ｘ方向の屈折率ｎｘおよびｙ方向の屈折率ｎｙよりも大きくなっている。一方、位相差フィルム１１４，１２５は、図７に示したように、ｚ方向の屈折率ｎｚが、ｘ方向の屈折率ｎｘおよびｙ方向の屈折率ｎｙよりも小さくなっている。よって、液晶表示部２０では、この液晶層９および位相差フィルム１１４，１２５の特性が互いに補償し合い、ｘ，ｙ，ｚ方向の屈折率ｎｘ，ｎｙ，ｎｚが互いにほぼ等しくなり、等方的な屈折率を実現できるようになる。これにより、黒表示の際の視野角を広くすることができる。
【００４４】
次に、位相差フィルム１１４，１２５の特性について説明する。この検討では、位相差フィルム１１４，１２５の光学パラメータとして、面内方向のリタデーション値Ｒ０と、厚さ方向のリタデーション値Ｒｔｈを用いる。リタデーション値Ｒ０，Ｒｔｈは、以下のような式で定義されるものである。
Ｒ０＝（ｎｘ−ｎｙ）×ｄ                    ・・・（１）
Ｒｔｈ＝（（ｎｘ＋ｎｙ）／２−ｎｚ）×ｄ    ・・・（２）
ここで、ｘ方向の屈折率ｎｘとｙ方向の屈折率ｎｙの間には、次式のような関係がある。
ｎｘ≧ｎｙ      ・・・（３）
ここで、ｘ方向を遅相軸、ｙ方向を進相軸と定義する。位相差フィルム１１４における遅相軸は、液晶層９のうちの駆動基板１１０付近の液晶分子Ｍの長軸の配向方位と揃うように設定され、位相差フィルム１２５における遅相軸は、液晶層９のうちの対向基板１２０付近の液晶分子Ｍの長軸の配向方位と揃うように設定される。
【００４５】
本検討では、位相差フィルム１１４，１２５のリタデーション値Ｒ０，Ｒｔｈを様々な値に設定して、視野角特性をシミュレーションすることにより、望ましいリタデーション値Ｒ０，Ｒｔｈの範囲を求めた。なお、この例では、位相差フィルム１１４と位相差フィルム１２５は、同じ特性を有するものとした。
【００４６】
図８は、あるリタデーション値Ｒ０，Ｒｔｈの場合の、コントラストに関する視野角特性の一例を表すものである。この図８において、左右方向は表示装置１の表示画面の水平方向と対応し、上下方向は表示画面の垂直方向と対応している。図中の線はコントラストを等高線で示すものであり、中心に近づくほどコントラストが高くなっていることを示している。コントラストは、白表示と黒表示の比を示すものであるため、コントラストの視野角が広いほど、黒表示の視野角も広いことを示している。
【００４７】
様々なリタデーション値Ｒ０，Ｒｔｈでの視野角特性を評価するにあたり、本検討では、コントラストの視野角を示すパラメータとして、パラメータＭＩＮＣＲを導入した。このパラメータＭＩＮＣＲは、図８において、点ＰＲ（方位：０度，極角：３０度），点ＰＴ（方位：９０度，極角：３０度），点ＰＬ（方位：１８０度，極角：３０度），点ＰＢ（方位：２７０度，極角：３０度）の４箇所におけるコントラストの最小値（パラメータＭＩＮＣＲ）として定義されるものである。ここで、３０度の極角は、観察者が表示装置を観察する際に推奨される一般的な観察角度（０度〜３０度）の最大値に対応するものである。すなわち、パラメータＭＩＮＣＲは、その値が大きいほど視野角が広く、その値が小さいほど視野角が狭いことを示すものである。
【００４８】
図９は、位相差フィルム１１４，１２５のリタデーション値Ｒ０，Ｒｔｈと、パラメータＭＩＮＣＲとの関係を表すものである。図９において、横軸は厚さ方向のリタデーション値Ｒｔｈを示し、縦軸は面内方向のリタデーション値Ｒ０を示す。また、シンボル×（クロス）は、パラメータＭＩＮＣＲが０以上５未満の範囲内であることを示し、シンボル△（三角）は、パラメータＭＩＮＣＲが５以上１０未満の範囲内であることを示し、シンボル□（四角）は、パラメータＭＩＮＣＲが１０以上１５未満の範囲内であることを示し、シンボル○（丸）は、バラメータＭＩＮＣＲが１５以上２０未満の範囲内であることを示す。
【００４９】
図９に示したように、リタデーション値Ｒ０が小さく、リタデーション値Ｒｔｈが大きいほど、パラメータＭＩＮＣＲは大きく、視野角が広くなる。具体的には、図９において、リタデーション値Ｒ０，Ｒｔｈが、破線よりも下の範囲内にある場合には、パラメータＭＩＮＣＲが１０以上になり、視野角が広くなる。このリタデーション値Ｒ０，Ｒｔｈの範囲は、以下の関係式により示すことができる。
Ｒ０  ≦  （５／８）×Ｒｔｈ−２５    ・・・（Ａ）
【００５０】
このように、表示装置１では、位相差フィルム１１４，１２５のそれぞれに係るリタデーション値Ｒ０，Ｒｔｈが、式（Ａ）を満たすようにしたので、視野角を広くすることができる。
【００５１】
また、位相差フィルム１１４，１２５は、上述したように、例えばＴＡＣやＣＯＰにより構成されるものであり、ＷＶフィルムのような専用の部材とは異なり、安価なものであるため、コストを低減することができる。さらに、ＴＡＣやＣＯＰなどは、面内方向に延伸することによりリタデーション値Ｒ０，Ｒｔｈを変化させることができることから、より低コストで所望のリタデーション値Ｒ０，Ｒｔｈを得ることができる。
【００５２】
［効果］
以上のように本実施の形態では、式（Ａ）を満たす所定の範囲のリタデーション値を有する位相差フィルムを用いるようにしたので、視野角を広くすることができる。
【００５３】
また、本実施の形態では、ＴＡＣやＣＯＰを用いて位相差フィルムを構成したので、コストを低減することができる。
【００５４】
また、本実施の形態では、位相差フィルムが逆波長分散性を有するようにしたので、表示画面に向かって斜め方向から観察した場合に、色度のずれが生じるおそれを低減することができる。
【００５５】
［変形例１−１］
上記実施の形態では、偏光フィルム１１５，１２６の保護層１０１，１０３は、位相差フィルムとしての機能は無いものとしたが、これに限定されるものではなく、これに代えて、例えば、位相差フィルムとしての機能を有していてもよい。
【００５６】
この場合、例えば、位相差フィルム１１４と偏光フィルム１１５が１枚の位相差フィルムとして機能するとともに、位相差フィルム１２５と偏光フィルム１２６が１枚の位相差フィルムとして機能するようにしてもよい。具体的には、例えば、位相差フィルム１２５と偏光フィルム１２６に関しては、位相差フィルム１２５の面内方向のリタデーション値と、偏光フィルム１２６の保護層１０１における面内方向の各リタデーション値の合計値をリタデーション値Ｒ０とするとともに、同様にこれらの２つの厚さ方向のリタデーション値の合計値をリタデーション値Ｒｔｈとし、このリタデーション値Ｒ０，Ｒｔｈが式（Ａ）を満足するようにすることが可能である。
【００５７】
また、例えば、位相差フィルム１１４，１２５を省き、偏光フィルム１１５，１２６をそれぞれ位相差フィルムとしても使用するようにしてもよい。具体的には、例えば、偏光フィルム１２６に関し、保護層１０１を位相差フィルムとして用い、その面内方向のリタデーション値Ｒ０と、厚さ方向のリタデーション値Ｒｔｈが式（Ａ）を満足するようにすることが可能である。
【００５８】
［変形例１−２］
上記実施の形態では、位相差フィルム１１４と位相差フィルム１２５は同じ特性を有するものとしたが、これに限定されるものではなく、例えば、互いに異なる特性を有していても良い。この場合、例えば、これらの２枚の位相差フィルム１１４，１２５における面内方向の各リタデーション値の平均値をリタデーション値Ｒ０とするとともに、厚さ方向の各リタデーション値の平均値をリタデーション値Ｒｔｈとし、このリタデーション値Ｒ０，Ｒｔｈが、式（Ａ）を満足するようにすることが可能である。
【００５９】
［変形例１−３］
上記実施の形態では、位相差フィルム１１４と位相差フィルム１２５の両方を設けたが、これに限定されるものではなく、これに代えて、例えば位相差フィルム１１４，１２５のうちの一方のみを設けてもよい。なお、この場合には、例えば視野角特性に非対称性が生じるおそれがあるが、その非対称性が許容できるアプリケーションに適用することができる。
【００６０】
＜２．第２の実施の形態＞
次に、第２の実施の形態に係る立体表示装置２について説明する。本実施の形態は、液晶バリアを用いたパララックスバリア方式の立体表示装置である。なお、本開示の実施の形態に係るバリア装置は、本実施の形態により具現化されるので、併せて説明する。また、上記第１の実施の形態に係る表示装置１と実質的に同一の構成部分には同一の符号を付し、適宜説明を省略する。
【００６１】
図１０は、立体表示装置２の一構成例を表すものである。立体表示装置２は、制御部６１と、バリア駆動部６３と、液晶バリア部１０とを備えている。
【００６２】
制御部６１は、外部より供給される映像信号Ｓdispに基づいて、バックライト駆動部４２、表示駆動部５０、およびバリア駆動部６３に対してそれぞれ制御信号を供給し、これらがお互いに同期して動作するように制御する回路である。具体的には、制御部６１は、バックライト駆動部４２に対してバックライト制御信号を供給し、表示駆動部５０に対して映像信号Ｓdispに基づく映像信号Ｓを供給し、バリア駆動部６３に対してバリア制御信号を供給するようになっている。ここで、映像信号Ｓは、立体表示装置２が立体視表示を行う場合に、後述するように、それぞれが複数（この例では６つ）の視点映像を含む映像信号ＳＡ，ＳＢから構成されるものである。
【００６３】
バリア駆動部６３は、制御部６１から供給されるバリア制御信号に基づいて液晶バリア部１０を駆動するものである。液晶バリア部１０は、バックライト３０から射出し液晶表示部２０を透過した光を透過（開動作）または遮断（閉動作）するものであり、液晶を用いて構成された複数の開閉部１１，１２（後述）を有している。
【００６４】
図１１は、立体表示装置２の要部の一構成例を表すものであり、（Ａ）は立体表示装置２の分解斜視構成を示し、（Ｂ）は立体表示装置２の側面図を示す。図１１に示したように、立体表示装置２では、これらの各部品は、バックライト３０、液晶表示部２０、および液晶バリア部１０の順に配置されている。つまり、バックライト３０から射出した光は、液晶表示部２０および液晶バリア部１０を介して、観察者に届くようになっている。
【００６５】
図１２は、液晶バリア部１０の一構成例を表すものであり、（Ａ）は液晶バリア部１０における開閉部の配置構成を示し、（Ｂ）は（Ａ）の液晶バリア部１０におけるＸＩＩ−ＸＩＩ矢視方向の断面構成を示す。液晶バリア部１０はノーマリーホワイト動作を行うものである。つまり、液晶バリア部１０は、駆動されていない状態では光を遮断するものである。
【００６６】
液晶バリア部１０は、いわゆるパララックスバリアであり、図１２（Ａ）に示したように、光を透過または遮断する複数の開閉部（液晶バリア）１１，１２を有している。これらの開閉部１１，１２は、立体表示装置２が通常表示（２次元表示）および立体視表示のどちらを行うかにより、異なる動作を行う。具体的には、開閉部１１は、後述するように、通常表示の際には開状態（透過状態）になり、立体視表示を行う際には、閉状態（遮断状態）となるものである。開閉部１２は、後述するように、通常表示の際には開状態（透過状態）、立体視表示の際には、時分割的に開閉動作を行うものである。
【００６７】
これらの開閉部１１および開閉部１２は、ＸＹ平面における一方向（ここでは、例えば垂直方向Ｙから所定の角度θをなす方向）に延在して設けられている。角度θは、例えば１８度に設定可能である。開閉部１１の幅Ｗ１と、開閉部１２の幅Ｗ２とは、互いに異なっており、ここでは例えばＷ１＞Ｗ２となっている。但し、開閉部１１，１２の幅の大小関係はこれに限定されず、Ｗ１＜Ｗ２であってもよく、また、Ｗ１＝Ｗ２であってもよい。このような開閉部１１，１２は、後述する液晶層１９を含んで構成されており、この液晶層１９への駆動電圧によって、開閉が切り替わるようになっている。
【００６８】
液晶バリア部１０は、図１２（Ｂ）に示したように、駆動基板２１０と対向基板２２０との間に、液晶層１９を封止したものである。
【００６９】
駆動基板２１０は、透明基板２１１と、透明電極層２１２と、配向膜２１３と、位相差フィルム２１４と、偏光フィルム２１５とを有している。透明基板２１１は、例えばガラス等から構成されるものである。透明基板２１１の上には、例えばＩＴＯ等の透明導電膜により構成された透明電極層２１２が形成されている。透明電極層２１２の上には、配向膜２１３が形成されている。透明基板２１１の、これらの透明電極層２１２などが形成された面とは反対の面には、位相差フィルム２１４および偏光フィルム２１５が、この順で形成されている。
【００７０】
対向基板２２０は、透明基板２２１と、透明電極層２２２と、配向膜２２３と、位相差フィルム２２４と、偏光フィルム２２５とを有している。透明基板２２１は、透明基板２１１と同様に、例えばガラス等から構成されるものである。透明基板２２１の上には、透明電極層２２２が形成されている。透明電極層２２２は、透明電極層２１２と同様に、例えばＩＴＯ等の透明導電膜により構成されるものである。そして、その透明電極層２２２の上には、配向膜２２３が形成されている。透明基板２２１の、透明電極層２２２などが形成された面とは反対の面には、位相差フィルム２２４および偏光フィルム２２５が、この順で形成されている。
【００７１】
位相差フィルム２１４，２２４は、上記第１の実施の形態に係る位相差フィルム１１４，１２５と同様に構成されたものであり、逆波長分散特性を有するとともに、面内のリタデーション値Ｒ０と、厚さ方向のリタデーション値Ｒｔｈとが、式（Ａ）を満たすように設定されている。
【００７２】
偏光フィルム２１５，２２５は、上記第１の実施の形態に係る偏光フィルム１１５，１２６と同様に構成されたものであり、クロスニコルになるように貼り合わせられている。
【００７３】
液晶層１９は、上記第１の実施の形態に係る液晶層９と同様に構成されたものであり、例えば、ノーマリーホワイト動作を行うＴＮ（Twisted Nematic）の液晶により構成されるものである。よって、液晶層１９の動作は、液晶層９の場合（図６）と同様である。
【００７４】
透明電極層２１２は、透明電極Ｅ１１および透明電極Ｅ１２を有している。そして、透明電極層２２２は、各開閉部１１，１２に共通の電極として設けられている。透明電極層２１２の透明電極Ｅ１１と、液晶層１９および透明電極層２２２におけるその透明電極Ｅ１１に対応する部分とは、開閉部１１を構成している。同様に、透明電極層２１２の透明電極Ｅ１２と、液晶層１９および透明電極層２２２におけるその透明電極Ｅ１２に対応する部分とは、開閉部１２を構成している。
【００７５】
この構成により、液晶バリア部１０では、透明電極Ｅ１１，Ｅ１２に電圧を選択的に印加し、液晶層１９がその電圧に応じた液晶配向になることにより、開閉部１１，１２毎の開閉動作を行うことができるようになっている。具体的には、透明電極層２１２（透明電極Ｅ１１，Ｅ１２）および透明電極層２２２に電圧を印加してその電位差が大きくなると、液晶層１９における光の透過率が減少し、開閉部１１，１２は遮断状態（閉状態）になる。一方、その電位差が小さくなると、液晶層１９における光の透過率が増大し、開閉部１１，１２は透過状態（開状態）となる。
【００７６】
液晶バリア部１０では、複数の開閉部１２はグループを構成し、同じグループに属する複数の開閉部１２は、立体視表示を行う際、同じタイミングで開動作および閉動作を行うようになっている。次に、開閉部１２のグループについて説明する。
【００７７】
図１３は、開閉部１２のグループ構成例を表すものである。開閉部１２は、この例では２つのグループを構成している。具体的には、並設された複数の開閉部１２が、交互にグループＡおよびグループＢを構成するようになっている。なお、以下では、グループＡに属する開閉部１２の総称として開閉部１２Ａを適宜用い、同様に、グループＢに属する開閉部１２の総称として開閉部１２Ｂを適宜用いるものとする。
【００７８】
バリア駆動部６３は、立体視表示を行う際、同じグループに属する複数の開閉部１２が同じタイミングで開閉動作を行うように駆動する。具体的には、バリア駆動部６３は、後述するように、グループＡに属する複数の開閉部１２Ａと、グループＢに属する複数の開閉部１２Ｂとを、時分割的に交互に開閉動作するように駆動する。
【００７９】
図１４は、立体視表示および通常表示（２次元表示）を行う場合の液晶バリア部１０の状態を、断面構造を用いて模式的に表すものであり、（Ａ）は立体視表示を行う一状態を示し、（Ｂ）は立体視表示を行う他の状態を示し、（Ｃ）は通常表示を行う状態を示す。液晶バリア部１０には、開閉部１１および開閉部１２（開閉部１２Ａ，１２Ｂ）が交互に配置されている。この例では、開閉部１２Ａは、液晶表示部２０の６つの画素Ｐixに１つの割合で設けられている。同様に、開閉部１２Ｂは、液晶表示部２０の６つの画素Ｐixに１つの割合で設けられている。図１４では、液晶バリア部１０の開閉部１１，１２Ａ，１２Ｂのうち、光が遮断される開閉部を斜線で示している。
【００８０】
立体視表示を行う場合には、表示駆動部５０に映像信号ＳＡ，ＳＢが交互に供給され、液晶表示部２０はそれらに基づいて表示を行う。そして、液晶バリア部１０では、開閉部１２（開閉部１２Ａ，１２Ｂ）が時分割的に開閉動作を行い、開閉部１１が閉状態（遮断状態）を維持する。具体的には、映像信号ＳＡが供給された場合には、図１４（Ａ）に示したように、開閉部１２Ａが開状態になるとともに、開閉部１２Ｂが閉状態になる。液晶表示部２０では、後述するように、この開閉部１２Ａに対応した位置に配置された互いに隣接する６つの画素Ｐixが、映像信号ＳＡに含まれる６つの視点映像に対応する表示を行う。これにより、観察者は、後述するように、例えば左眼と右眼とで異なる視点映像を見ることにより、表示された映像を立体的な映像として感じるようになっている。同様に、映像信号ＳＢが供給された場合には、図１４（Ｂ）に示したように、開閉部１２Ｂが開状態になるとともに、開閉部１２Ａが閉状態になる。液晶表示部２０では、後述するように、この開閉部１２Ｂに対応した位置に配置された互いに隣接する６つの画素Ｐixが、映像信号ＳＢに含まれる６つの視点映像に対応する表示を行う。これにより、観察者は、後述するように、例えば左眼と右眼とで異なる視点映像を見ることにより、表示された映像を立体的な映像として感じるようになっている。立体表示装置２では、このように、開閉部１２Ａと開閉部１２Ｂを交互に開放して映像を表示することにより、後述するように、表示装置の解像度を高めることができるようになっている。
【００８１】
通常表示（２次元表示）を行う場合には、液晶バリア部１０では、図１４（Ｃ）に示したように、開閉部１１および開閉部１２（開閉部１２Ａ，１２Ｂ）がともに開状態（透過状態）を維持するようになっている。これにより、観察者は、映像信号Ｓに基づいて液晶表示部２０に表示された通常の２次元映像をそのまま見ることができる。
【００８２】
ここで、液晶表示部２０は、本開示の「表示部」の一具体例に対応する。液晶バリア部１０は、本開示の「バリア部」の一具体例に対応する。開閉部１１，１２は、本開示の「液晶バリア」の一具体例に対応する。開閉部１２は、本開示の「第１系列の液晶バリア」の一具体例に対応し、開閉部１１は、本開示の「第２系列の液晶バリア」の一具体例に対応する。液晶層１９は、本開示の第２の表示装置およびバリア装置における「液晶層」の一具体例に対応する。駆動基板２１０および対向基板２２０のうちの一方は、本開示における「第１の基板」の一具体例に対応し、他方は、本開示における「第２の基板」の一具体例に対応する。
【００８３】
次に、図１０を参照して、立体表示装置２の全体動作概要を説明する。制御部６１は、外部より供給される映像信号Ｓdispに基づいて、バックライト駆動部４２、表示駆動部５０、およびバリア駆動部６３に対してそれぞれ制御信号を供給し、これらがお互いに同期して動作するように制御する。バックライト駆動部４２は、制御部６１から供給されるバックライト制御信号に基づいてバックライト３０を駆動する。バックライト３０は、面発光した光を液晶表示部２０に対して射出する。表示駆動部５０は、制御部６１から供給される映像信号Ｓに基づいて液晶表示部２０を駆動する。液晶表示部２０は、バックライト３０から射出した光を変調することにより表示を行う。バリア駆動部６３は、制御部６１から供給されるバリア制御信号に基づいて液晶バリア部１０を駆動する。液晶バリア部１０の開閉部１１，１２（１２Ａ，１２Ｂ）は、開閉動作を行い、バックライト３０から射出し液晶表示部２０を透過した光を透過または遮断する。
【００８４】
次に、立体視表示を行う場合の詳細動作を説明する。
【００８５】
図１５は、液晶表示部２０および液晶バリア部１０の動作例を表すものであり、（Ａ）は、映像信号ＳＡが供給された場合を示し、（Ｂ）は映像信号ＳＢが供給された場合を示す。
【００８６】
映像信号ＳＡが供給された場合には、図１５（Ａ）に示したように、液晶表示部２０の画素Ｐixのそれぞれは、映像信号ＳＡに含まれる６つの視点映像のそれぞれに対応する画素情報Ｐ１〜Ｐ６を表示する。このとき、画素情報Ｐ１〜Ｐ６は、開閉部１２Ａ付近に配置された画素Ｐixにそれぞれ表示される。映像信号ＳＡが供給された場合には、液晶バリア部１０では、開放部１２Ａが開状態（透過状態）になるとともに、開放部１２Ｂが閉状態になるように制御される。液晶表示部２０の各画素Ｐixから出た光は、開閉部１２Ａによりそれぞれ角度が制限されて出力される。観察者は、例えば左眼で画素情報Ｐ３を、右眼で画素情報Ｐ４を見ることにより、立体的な映像を見ることができる。
【００８７】
映像信号ＳＢが供給された場合には、図１５（Ｂ）に示したように、液晶表示部２０の画素Ｐixのそれぞれは、映像信号ＳＢに含まれる６つの視点映像のそれぞれに対応する画素情報Ｐ１〜Ｐ６を表示する。このとき、画素情報Ｐ１〜Ｐ６は、開閉部１２Ｂ付近に配置された画素Ｐixにそれぞれ表示される。映像信号ＳＢが供給された場合には、液晶バリア部１０では、開放部１２Ｂが開状態（透過状態）になるとともに、開放部１２Ａが閉状態になるように制御される。液晶表示部２０の各画素Ｐixから出た光は、開閉部１２Ｂによりそれぞれ角度が制限されて出力される。観察者は、例えば左眼で画素情報Ｐ３を、右眼で画素情報Ｐ４を見ることにより、立体的な映像を見ることができる。
【００８８】
このように、観察者は、左眼と右眼とで、画素情報Ｐ１〜Ｐ６のうちの異なる画素情報を見ることとなり、観察者は立体的な映像として感じることができる。また、開閉部１２Ａと開閉部１２Ｂを時分割的に交互に開放して映像を表示することにより、観察者は、互いにずれた位置に表示される映像を平均化して見ることとなる。よって、立体表示装置２は、開閉部１２Ａのみをもつ場合に比べ、２倍の解像度を実現することが可能となる。言い換えれば、立体表示装置２の解像度は、２次元表示の場合に比べ１／３（＝１／６×２）で済むこととなる。
【００８９】
立体表示装置２でも、上記第１の実施の形態に係る表示装置１と同様に、位相差フィルム２１４，２２４のそれぞれに係るリタデーション値Ｒ０，Ｒｔｈが、式（Ａ）を満たすようにしたので、視野角を広くすることができる。また、位相差フィルム２１４，２２４は、上記第１の実施の形態に係る位相差フィルム１１４，１２５と同様に、例えばＴＡＣやＣＯＰにより構成されるようにしたので、コストを低減することができる。
【００９０】
以上のように本実施の形態では、位相差フィルムを、立体表示装置の液晶バリア部に適用したので、立体表示装置の視野角を広くすることができるとともに、コストを低減することができる。その他の効果は、上記第１の実施の形態の場合と同様である。
【００９１】
［変形例２−１］
上記実施の形態では、液晶表示部２０およびバックライト３０を用いたが、これに限定されるものではなく、これに代えて、例えば、ＥＬ（Electro Luminescence）などの表示部を用いてもよい。
【００９２】
［変形例２−２］
上記実施の形態では、バックライト３０、液晶表示部２０、液晶バリア部１０は、この順に配置したが、これに限定されるものではなく、これに代えて、図１６に示したように、バックライト３０、液晶バリア部１０、液晶表示部２０の順に配置してもよい。  図１７は、本変形例に係る液晶表示部２０および液晶バリア部１０の動作例を表すものであり、（Ａ）は、映像信号ＳＡが供給された場合を示し、（Ｂ）は映像信号ＳＢが供給された場合を示す。本変形例では、バックライト３０から射出した光は、まず液晶バリア部１０に入射する。そして、その光のうち、開閉部１２Ａ，１２Ｂを透過した光が液晶表示部２０において変調されるとともに、６つの視点映像を出力するようになっている。
【００９３】
［変形例２−３］
上記実施の形態では、開閉部１２は２つのグループを構成したが、これに限定されるものではなく、これに代えて、例えば３つ以上のグループを構成するようにしてもよい。これにより、表示の分解能をさらに改善することができる。以下に、その詳細を説明する。
【００９４】
図１８は、開閉部１２が３つのグループＡ，Ｂ，Ｃを構成する場合の例を表すものである。上記実施の形態と同様に、開閉部１２ＡはグループＡに属する開閉部１２を示し、開閉部１２ＢはグループＢに属する開閉部１２を示し、開閉部１２ＣはグループＣに属する開閉部１２を示す。
【００９５】
このように、開閉部１２Ａ，１２Ｂ，１２Ｃを時分割的に交互に開放して映像を表示することにより、この変形例に係る立体表示装置は、開閉部１２Ａのみをもつ場合に比べ、３倍の解像度を実現することが可能となる。言い換えれば、この立体表示装置の解像度は、２次元表示の場合に比べ１／２（＝１／６×３）で済むこととなる。
【００９６】
［変形例２−４］
上記実施の形態では、映像信号ＳＡ，ＳＢが６つの視点映像を含むようにしたが、これに限定されるものではなく、５つ以下の視点映像や、７つ以上の視点映像を含むようにしてもよい。この場合、図１４に示した液晶バリア部１０の開閉部１２Ａ，１２Ｂと、画素Ｐixとの関係も変化する。すなわち、例えば、映像信号ＳＡ，ＳＢが５つの視点映像を含む場合には、開閉部１２Ａは、表示部２０の５つの画素Ｐixに１つの割合で設けることが望ましく、同様に、開閉部１２Ｂは、表示部２０の５つの画素Ｐixに１つの割合で設けることが望ましい。
【００９７】
［変形例２−５］
上記実施の形態では、開閉部１１，１２は、垂直方向Ｙから所定の角度θをなす斜め方向に延在するように設けたが、これに限定されるものではなく、これに代えて、例えば、垂直方向Ｙに延在するように設けてもよい。
【００９８】
＜３．適用例＞
次に、上記実施の形態および変形例で説明した表示装置および立体表示装置の適用例について説明する。
【００９９】
図１９は、上記実施の形態等の表示装置および立体表示装置が適用されるテレビジョン装置の外観を表すものである。このテレビジョン装置は、例えば、フロントパネル５１１およびフィルターガラス５１２を含む映像表示画面部５１０を有しており、この映像表示画面部５１０は、上記実施の形態等に係る表示装置または立体表示装置により構成されている。
【０１００】
上記実施の形態等の表示装置および立体表示装置は、このようなテレビジョン装置の他、デジタルカメラ、ノート型パーソナルコンピュータ、携帯電話等の携帯端末装置あるいはビデオカメラなどのあらゆる分野の電子機器に適用することが可能である。言い換えると、上記実施の形態等の表示装置および立体表示装置は、映像を表示するあらゆる分野の電子機器に適用することが可能である。
【０１０１】
以上、いくつかの実施の形態および変形例、ならびにそれらの電子機器への適用例を挙げて本技術を説明したが、本技術はこれらの実施の形態等には限定されず、種々の変形が可能である。
【０１０２】
例えば、第１の実施の形態に係る変形例１−１〜１−３を、第２の実施の形態等に係る液晶バリア部１０に対して同様に適用してもよい。
【０１０３】
なお、本技術は以下のような構成とすることができる。
【０１０４】
（１）液晶層と、
第１の偏光フィルムおよび第１の位相差フィルムを含んで構成された第１の基板と、
第２の偏光フィルムを含んで構成され、前記第１の基板の、前記第１の偏光フィルムおよび前記第１の位相差フィルムのうちの前記第１の位相差フィルムが配置された側に、前記液晶層を挟んで配置された第２の基板と
を備え、
前記第１の位相差フィルムの面内方向の面内リタデーション値Ｒ０と、前記第１の位相差フィルムの厚さ方向の厚さリタデーション値Ｒthとが、次の式（Ａ）を満たす
表示装置。
Ｒ０  ≦  （５／８）×Ｒth−２５  ・・・  （Ａ）
【０１０５】
（２）前記第１の位相差フィルムは、トリアセチルセルロースまたはシクロオレフィンポリマーにより構成される
前記（１）に記載の表示装置。
【０１０６】
（３）前記第１の位相差フィルムは、逆波長分散特性を有する
前記（１）または（２）に記載の表示装置。
【０１０７】
（４）前記第２の基板は、前記第２の偏光フィルムの前記液晶層の側に配置された第２の位相差フィルムを含んで構成されている
前記（１）から（３）のいずれかに記載の表示装置。
【０１０８】
（５）前記第２の位相差フィルムの面内リタデーション値および厚さリタデーション値は、それぞれ、前記第１の位相差フィルムの面内リタデーション値Ｒ０および厚さリタデーション値Ｒthとほぼ等しい
前記（４）に記載の表示装置。
【０１０９】
（６）前記第１の位相差フィルムは、前記第１の基板の前記液晶層とは反対側に配置され、
前記第２の位相差フィルムは、前記第２の基板の前記液晶層とは反対側に配置されている
前記（４）または（５）に記載の表示装置。
【０１１０】
（７）前記液晶層は、ノーマリーホワイト動作を行うＴＮ液晶により構成される
前記（１）から（６）のいずれかに記載の表示装置。
【０１１１】
（８）表示部と
開状態と閉状態とを切り換え可能な液晶バリアを有するバリア部と
を備え、
前記バリア部は、
液晶層と、
偏光フィルムおよび位相差フィルムを含んで構成された第１の基板と、
前記第１の基板の、前記偏光フィルムおよび前記位相差フィルムのうちの前記位相差フィルムが配置された側に、前記液晶層を挟んで配置された第２の基板と
を有し、
前記位相差フィルムの面内方向の面内リタデーション値Ｒ０と、前記位相差フィルムの厚さ方向の厚さリタデーション値Ｒthとが、次の式（Ａ）を満たす
表示装置。
Ｒ０  ≦  （５／８）×Ｒth−２５  ・・・  （Ａ）
【０１１２】
（９）前記バリア部は、複数の第１系列の液晶バリアおよび複数の第２系列の液晶バリアを有する
前記（８）に記載の表示装置。
【０１１３】
（１０）２次元映像表示モードおよび３次元映像表示モードを含む複数の表示モードを有し、
前記２次元映像表示モードでは、前記表示部が１つの視点画像を表示し、前記複数の第１系列の液晶バリアおよび前記複数の第２系列の液晶バリアが透過状態になることにより、２次元映像を表示し、
前記３次元映像表示モードでは、前記表示部が前記複数の視点画像を表示し、前記複数の第１系列の液晶バリアが透過状態になるとともに、前記複数の第２系列の液晶バリアが遮断状態になることにより、３次元映像を表示する
前記（９）に記載の表示装置。
【０１１４】
（１１）前記複数の第１系列の液晶バリアは、複数のバリアグループにグループ分けされ、
前記３次元映像表示モードでは、前記複数の第１系列の液晶バリアは、バリアグループごとに、時分割的に開状態および閉状態との間で切り換わる
前記（１０）に記載の表示装置。
【０１１５】
（１２）バックライトをさらに備え、
前記表示部は液晶表示部であり、
前記液晶表示部は、前記バックライトと前記バリア部との間に配置されている
前記（８）から（１１）のいずれかに記載の表示装置。
【０１１６】
（１３）バックライトをさらに備え、
前記表示部は液晶表示部であり、
前記バリア部は、前記バックライトと前記液晶表示部との間に配置されている
前記（８）から（１１）のいずれかに記載の表示装置。
【０１１７】
（１４）開状態と閉状態とを切り換え可能な液晶バリアを有するバリア部を備え、
前記バリア部は、
液晶層と、
偏光フィルムおよび位相差フィルムを含んで構成された第１の基板と、
前記第１の基板の、前記偏光フィルムおよび前記位相差フィルムのうちの前記位相差フィルムが配置された側に、前記液晶層を挟んで配置された第２の基板と
を有し、
前記位相差フィルムの面内方向の面内リタデーション値Ｒ０と、前記位相差フィルムの厚さ方向の厚さリタデーション値Ｒthとが、次の式（Ａ）を満たす
バリア装置。
Ｒ０  ≦  （５／８）×Ｒth−２５  ・・・  （Ａ）
【０１１８】
（１５）面内方向の面内リタデーション値Ｒ０と、厚さ方向の厚さリタデーション値Ｒthとが、次の式（Ａ）を満たす
位相差フィルム。
Ｒ０  ≦  （５／８）×Ｒth−２５  ・・・  （Ａ）
【０１１９】
（１６）前記位相差フィルムは、液晶層とともに用いられる
前記（１５）に記載の位相差フィルム。
【０１２０】
（１７）表示装置と、
前記表示装置を利用した動作制御を行う制御部と
を備え、
前記表示装置は、
液晶層と、
第１の偏光フィルムおよび第１の位相差フィルムを含んで構成された第１の基板と、
第２の偏光フィルムを含んで構成され、前記第１の基板の、前記第１の偏光フィルムおよび前記第１の位相差フィルムのうちの前記第１の位相差フィルムが配置された側に、前記液晶層を挟んで配置された第２の基板と
を有し、
前記第１の位相差フィルムの面内方向の面内リタデーション値Ｒ０と、前記第１の位相差フィルムの厚さ方向の厚さリタデーション値Ｒthとが、次の式（Ａ）を満たす
電子機器。
Ｒ０  ≦  （５／８）×Ｒth−２５  ・・・  （Ａ）
【符号の説明】
【０１２１】
１，１Ｂ…表示装置、２…立体表示装置、９，１９…液晶層、１０…液晶バリア部、１１，１２，１２Ａ，１２Ｂ，１２Ｃ…開閉部、２０…液晶表示部、３０…バックライト、４１…制御部、４２…バックライト駆動部、５０…表示駆動部、５１…タイミング制御部、５２…ゲートドライバ、５３…データドライバ、６１…制御部、６３…バリア駆動部、１０１，１０３…保護層、１０２…偏光子、１１０…駆動基板、１１１，１２１…透明基板、１１２…画素電極、１１３，１２４…配向膜、１１４，１２５…位相差フィルム、１１５，１２６…偏光フィルム、１２０…対向基板、１２２…カラーフィルタ層、１２３…共通電極、２１０…駆動基板、２１１，２２１…透明基板、２１２，２２２…透明電極層、２１３，２２３…配向膜、２１４，２２４…位相差フィルム、２１５，２２５…偏光フィルム、２２０…対向基板、Ａ，Ｂ…グループ、Ｃｓ…保持容量素子、ＣＳＬ…保持容量線、Ｅ１１，Ｅ１２…透明電極、ＧＣＬ…ゲート線、ＬＣ…液晶素子、Ｍ…液晶分子、Ｐix…画素、ＰＢ，ＰＬ，ＰＲ，ＰＴ…点、Ｒ０，Ｒｔｈ…リタデーション値、Ｓ，Ｓ１，Ｓdisp…映像信号、ＳＧＬ…データ線、ＳＰix…サブ画素、Ｔｒ…ＴＦＴ素子、Ｗ１，Ｗ２…幅。
【図１】
2013045064.tif 000003
【図２】
2013045064.tif 000004
【図３】
2013045064.tif 000005
【図４】
2013045064.tif 000006
【図５】
2013045064.tif 000007
【図６】
2013045064.tif 000008
【図７】
2013045064.tif 000009
【図８】
2013045064.tif 000010
【図９】
2013045064.tif 000011
【図１０】
2013045064.tif 000012
【図１１】
2013045064.tif 000013
【図１２】
2013045064.tif 000014
【図１３】
2013045064.tif 000015
【図１４】
2013045064.tif 000016
【図１５】
2013045064.tif 000017
【図１６】
2013045064.tif 000018
【図１７】
2013045064.tif 000019
【図１８】
2013045064.tif 000020
【図１９】
2013045064.tif 000021